(57)【要約】      （修正有）【課題】つなぎ作業服、自動車競技服もしくは革ジャケット、オーバーコート、長いガウン、洋装などの厚手または内層が乾燥しにくい衣類上に適用される衣類送風乾燥装置を提供する。【解決手段】高さ調整可能なスタンド１０と、スタンドの頂端に設置され、かつ少なくとも１つの支持アーム２０が外向きに延設される支持組立体３０と、支持アーム上に取り付けられる送風機４０と、送風機の風吹出口の下方に設置されるハンガー５０とを備える。ハンガーは、それぞれ衣類の襟口を広げて吊下げるために用い、ハンガーの上方に位置する送風機により、広げた襟口中から衣類の内層に対して送風することで、衣類を迅速に送風乾燥させることができる。【選択図】図１
0003202725.tif 000002
【実用新案登録請求の範囲】
【請求項１】
高さ調整可能なスタンドと、前記スタンドの頂端に設置され、少なくとも１つの支持アームが外向きに延設される支持組立体と、当該支持アーム上に取り付けられる送風機と、前記送風機の風吹出口の下方に設置されるハンガーとを備え、
前記ハンガーは、それぞれ衣類の襟口を広げて吊下げるために用い、前記ハンガーの上方に位置する前記送風機により、広げた襟口中から衣類の内側に対して送風することで、衣類を迅速に送風乾燥させることを特徴とする、衣類送風乾燥装置。
【請求項２】
前記支持組立体には、複数個の支持アームが外向きに延設され、前記各支持アーム上にそれぞれ前記送風機と前記ハンガーが設けられることを特徴とする、請求項１に記載の衣類送風乾燥装置。
【請求項３】
前記ハンガーは、前記送風機の風吹出口の内周に着脱可能に係留され、かつ前記ハンガーの頂端と、前記送風機の風吹出口の内周との間に、係留または急速取外構造が設けられることを特徴とする、請求項１または請求項２に記載の衣類送風乾燥装置。
【請求項４】
前記送風機の風吹出口の外周に、さらに排流布カバーが嵌設され、前記排流布カバーが衣類の襟口内縁に差し込まれ、前記送風機の風吹出口を衣類の襟口内へ集中させて送風することを特徴とする、請求項１または請求項２に記載の衣類送風乾燥装置。
【請求項５】
前記送風機の風吹込口に、さらに空気流の脱臭及び濾過を行うための活性炭濾過材が設けられることを特徴とする、請求項４に記載の衣類送風乾燥装置。
【請求項６】
前記送風機の風吹込口の上方に、さらに外来者安全帽、ヘルメットを掛止するための帽子掛けが設けられることを特徴とする、請求項４に記載の衣類送風乾燥装置。
【請求項７】
前記支持組立体は、前記スタンドの頂端に当接されるスリーブ管を有し、前記スリーブ管の底端に、支持組立体をスタンド上に取外可能に固定する引張り摘み片が設けられ、前記スリーブ管の側辺に使用者が容易に持ち運ぶ握り柄が設けられることを特徴とする、請求項４に記載の衣類送風乾燥装置。
【請求項８】
前記スリーブ管の上方に、さらに表示スタンドが取り付けられることを特徴とする、請求項７に記載の衣類送風乾燥装置。
【請求項９】
当該支持アームは、スリーブ管に枢接される第１吊りアームと、前記送風機を取り付けるための第２吊りアームとを有し、前記第１吊りアームは、前記スリーブ管に相対して枢転して俯角、仰角の角度を調整可能に構成され、前記第１吊りアームと、前記第２吊りアームとは、その間に設けられた回転軸を介して相互に連結枢接され、前記第２吊りアームは、前記第１吊りアームに相対して前後の偏向回転角度を調整可能に構成されることを特徴とする、請求項１または請求項２に記載の衣類送風乾燥装置。
【請求項１０】
前記送風機は、さらにＵ字状ホルダーを介して前記第２吊りアーム上に固定され、前記送風機の両側が前記Ｕ字状ホルダー上に枢設されると共に、前記Ｕ字状ホルダーに相対して偏向回転することを特徴とする、請求項９に記載の衣類送風乾燥装置。
【考案の詳細な説明】
【技術分野】
【０００１】
本考案は、衣類の内部に対して送風乾燥を行える衣類送風乾燥装置に係り、特に、厚手または内層が乾燥しにくい衣類上に適用されるものに関する。
【背景技術】
【０００２】
衣類を干すために用いる伝統的なハンガーが扁平状を呈し、衣類がハンガー上に吊下げると共に、ハンガーにより、衣類を両側から広げた後、衣類の前、後側が容易に相互に貼り合わされる。空気が衣類の内部に入り込んで流通することが容易でなく、乾燥するために、衣類はより長い干し時間が必要となる。
【０００３】
上記衣類が乾燥しにくい状況において、特に、つなぎ作業服、レインコート、消防服、自動車競技服もしくは革ジャケット、オーバーコート、長いガウン、洋装などの厚手の衣類を干す場合には、干し乾かすために、明らかに往々にしてさらに長い時間が必要となり、衣類の干し乾かすためのベランダまたは幅狭い空間は、しょっちゅうこれらの乾燥しにくい衣類によって占有されてしまう。
【０００４】
衣類乾燥機を使用してこれらの乾燥しにくい衣類を乾かすことは、解決方法の一つでもあるが、衣類乾燥機の高温によって一部の衣類の材質を損傷するおそれがあり、レインコートまたは皮革、麻、紗などの材質の衣類上に適用されない。なおかつ、消防服、自動車競技服は、専門性の高い衣類に属し、耐高温性、難燃性の特性を有するため、専用衣類乾燥機を使用しなければ、衣類の強度と性能が破壊されるのを回避することができない。
【０００５】
その他の衣類の乾燥方法としては、まだ室内に除湿機を起動して衣類の水分を除去すること、あるいは扇風機を使用して送風して加速通風し、衣類が完全に送風乾燥することが挙げられる。しかし、除湿機は、使用上、場所の大きさによって制限される一方、もし室内空間が過大になると、除湿機の除湿効果が低下してしまう。而して、扇風機は、レインコート、消防服、自動車競技服などの不透気の衣類に対して、依然として外部が既に送風乾燥したが、衣類の内部が通風の不良によってまだ湿り気を帯びる状態における場合では、迅速に除湿・送風乾燥する効果を達成することが困難となる。
【考案の概要】
【考案が解決しようとする課題】
【０００６】
本考案の目的は、衣類送風乾燥装置を提供することであり、前記装置は、衣類の襟口を広げて吊下げるために用いると共に、広げた襟口中から衣類の内層に対して送風乾燥を行うことができ、特に、つなぎ作業服、自動車競技服、消防服、レインコートもしくは革ジャケット、オーバーコート、長いガウン、洋装などの厚手または内層が乾燥しにくい衣類上に適用される。
【課題を解決するための手段】
【０００７】
上記目的を達成するために、本考案の衣類送風乾燥装置は、高さ調整可能なスタンドと、スタンドの頂端に設置され、少なくとも１つの支持アームが外向きに延設される支持組立体と、当該支持アーム上に取り付けられる送風機と、前記送風機の風吹出口の下方に設置されるハンガーとを備え、前記ハンガーは、それぞれ衣類の襟口を広げて吊下げるために用い、ハンガーの上方に位置する送風機により、広げた襟口中から衣類の内側に対して送風することで、衣類を迅速に送風乾燥させることができる。
【０００８】
上記構造によれば、衣類をハンガーに吊下げた後、ハンガーの上方に位置する送風機により、衣類の襟口内から送風し、そして衣類の裾と袖口から排出されるので、衣類の内部と外部の空気が迅速に対流することができ、衣類を送風乾燥させる目的が達成される。さらに、前記スタンドと支持組立体を折り畳み収納することができ、携帯体積を縮減することができ、移動の利便性を高めることができ、使用がより一層便利になる。
【０００９】
実施時、前記支持組立体には、複数個の支持アームが外向きに延設され、各支持アーム上にそれぞれ送風機とハンガーが設けられる。複数の支持アームは、３６０度を等分する位置配列を呈するため、衣類送風乾燥装置のバランスを保持することができる。
【００１０】
実施時、前記ハンガーは、送風機の風吹出口の内周に着脱可能に係留され、かつハンガーの頂端と、送風機の風吹出口の内周との間に、係留または急速取外構造が設けられることにより、ハンガーは、送風機の風吹出口の内周から迅速に着脱できるので、使用者が容易に異なる規格のハンガーを収納または交換することができる。
【００１１】
実施時、前記送風機の風吹出口の外周に、さらに排流布カバーが嵌設され、前記排流布カバーが衣類の襟口内縁に差し込まれ、送風機の風吹出口を衣類の襟口内へ集中させて送風し、そして衣類の袖口、裾またはズボン裾から排出されるので、衣類の内部と外部の空気が迅速に対流することができる。
【００１２】
実施時、前記送風機の風吹込口に、さらに空気流の脱臭及び濾過を行うための活性炭濾過材が設けられる。
【００１３】
実施時、前記送風機の風吹込口の上方に、さらに外来者安全帽、ヘルメットを掛止するための帽子掛けが設けられ、前記安全帽、ヘルメットを帽子掛けに掛止した後、その帽子の底部と、送風機の風吹込口との間に、適当間隔距離を維持するため、風吹込口からの送風が阻害されるのを回避することができる。
【００１４】
実施時、前記支持組立体は、スタンドの頂端に当接されるスリーブ管を有し、前記スリーブ管の底端に、支持組立体をスタンド上に取外可能に固定する引張り摘み片が設けられる。
【００１５】
実施時、前記スリーブ管の上方に、さらに表示スタンドが取り付けられ、前記表示スタンドには、板片状を呈して文字または図形を設置することができ、例えば本考案の衣類送風乾燥装置を自動車競技試合に使用する場合、表示スタンド上に、レーシングチーム名とチームロゴを設置することができる効果を持つと共に、広告効果を兼ね備える。
【００１６】
実施時、前記スリーブ管の側辺に、さらに着脱時、容易に持ち運ぶ握り柄が設けられる。
【００１７】
実施時、当該支持アームは、スリーブ管に枢接される第１吊りアームと、前記送風機を取り付けるための第２吊りアームとを有し、前記第１吊りアームは、スリーブ管に相対して枢転して俯角、仰角の角度を調整可能に構成され、前記第１吊りアームと、前記第２吊りアームとは、その間に設けられた回転軸を介して相互に連結枢接され、第２吊りアームは、第１吊りアームに相対して前後の偏向回転角度を調整可能に構成される。第１吊りアームと、第２吊りアームとにより、俯角、仰角及び前後の偏向回転角度を調整することができ、方向の調整及び折り畳み収納の目的が達成される。
【００１８】
実施時、前記送風機は、さらにＵ字状ホルダーを介して第２吊りアーム上に固定され、前記送風機の両側が前記Ｕ字状ホルダー上に枢設されると共に、Ｕ字状ホルダーに相対して偏向回転する。
【考案の効果】
【００１９】
従来技術に比べて、本考案は、衣類の襟口を広げて吊下げるために用いると共に、広げた襟口中から衣類の内部に対して送風することができ、そして衣類の裾と袖口から排出されるので、衣類の内部と外部の空気が迅速に対流することができ、衣類を迅速に送風乾燥させることができる目的が達成され、特に、つなぎ作業服、自動車競技服、消防服、レインコートもしくは革ジャケット、オーバーコート、長いガウン、洋装などの厚手または内層が乾燥しにくい衣類上に適用される。なお、本考案において、前記スタンドと支持組立体を折り畳み収納することができ、携帯体積を縮減することができ、移動の利便性を高めることができ、使用がより一層便利になる。
【図面の簡単な説明】
【００２０】
【図１】本考案の斜視分解図である。
【図２】本考案の分解一部拡大斜視図である。
【図３】本考案の使用状態を示す模式図である。
【図４】本考案の第２実施例を示す正面模式図である。
【図５】本考案の第１吊りアームによる俯角、仰角の調整を示す模式図（一）である。
【図６】本考案の第１吊りアームによる俯角、仰角の調整を示す模式図（二）である。
【図７】本考案の第２吊りアームによる前後の角度の調整を示す模式図（一）である。
【図８】本考案の第２吊りアームによる前後の角度の調整を示す模式図（二）である。
【図９】本考案の平面模式図である。
【考案を実施するための形態】
【００２１】
本考案の技術内容、構造特徴、達成する目的を詳細に説明するため、以下に実施例を挙げ並びに図面を組み合わせて説明する。。
【００２２】
図１〜図３に示すように、本考案の衣類送風乾燥装置は、高さ調整可能なスタンド１０と、スタンド１０の頂端に取外可能に固定され、かつ少なくとも１つの支持アーム２０が外向きに延設される支持組立体３０と、当該支持アーム２０上に取り付けられる送風機４０と、前記送風機４０の風吹出口の下方に設置されるハンガー５０と、前記送風機４０の風吹出口の外周に嵌設される排流布カバー６０とを備える。図示において、前記支持組立体３０上には、複数の支持アーム２０が延設され、複数の支持アーム２０は、３６０度を等分する位置配列を呈するため、バランスを保持することができる。
【００２３】
前記ハンガー５０は、衣類１００の襟口を広げて吊下げるために用い、かつ前記排流布カバー６０が衣類１００の襟口内縁に差し込まれ、続いてハンガー５０の上方に位置する送風機４０により、排流布カバー６０を介して衣類１００の襟口内へ集中させて送風し、そして衣類１００の袖口、裾またはズボン裾から排出されるので、衣類１００の内部と外部の空気が対流することができ、送風乾燥の目的が達成され、特に、つなぎ作業服、レインコート、自動車競技服、消防服もしくは革ジャケット、オーバーコート、長いガウン、洋装などの厚手または内層が乾燥しにくい衣類上に適用される。
【００２４】
実施時、前記ハンガー５０は、送風機４０の風吹出口の内周に着脱可能に係留され、かつハンガー５０の頂端と、送風機４０の風吹出口の内周との間に、係留または急速取外構造が設けられることにより、容易に異なる規格のハンガーを収納または交換することができる。
【００２５】
また、前記送風機４０の風吹込口に、さらに空気流の脱臭及び濾過を行うための活性炭濾過材７０及び帽子掛け８０が設けられ、前記帽子掛け８０は、外来者安全帽、ヘルメットなどの帽子２００を掛止するために用い、帽子掛け８０上に掛止した帽子２００の内部にも、通風を受けて送風乾燥させることができる。図示において、帽子掛け８０は、帽子２００を引張り上げ、なおかつその帽子２００の底部と、送風機４０の上方の風吹込口との間に、適当間隔距離を維持するため、送風機４０による送風が阻害されるのを回避することができる。
【００２６】
前記支持組立体３０は、スタンド１０の頂端に当接されるスリーブ管３１を有し、前記スリーブ管３１の側辺に、使用者が容易に持ち運ぶ握り柄３２が設けられ、かつスリーブ管３１の底端に、引張り摘み片３３が設けられ、支持組立体３０のスリーブ管３１をタンド１０の頂端に当接した後、引張り摘み片３３を操作して支持組立体３０をスタンド１０上に固定することができる。支持組立体３０をスタンド１０上から着脱しようとする時、引張り摘み片３３を操作してロック状態を解除することにより、そして握り柄３２を持ち上げて支持組立体３０をスタンド１０上から着脱することができる。
【００２７】
さらに、図４に示すように、前記スリーブ管３１の上方に、さらに表示スタンド９０が取り付けられ、前記表示スタンド９０には、文字、図形を設置することができ、これにより、レーシングチーム名、チームロゴ、消防分団名、会社マーク、会社名などの情報を表示させる効果を持つと共に、広告効用を兼ね備える。
【００２８】
図２、図５、図６に示すように、当該支持アーム２０は、スリーブ管３１に枢接される第１吊りアーム２１と、前記送風機４０を取り付けるための第２吊りアーム２２とを有し、前記第１吊りアーム２１は、スリーブ管３１に相対して枢転して俯角、仰角の角度を調整可能に構成され、第２吊りアーム２２及び送風機４０を連動して一緒に枢転させることができる。
【００２９】
図２、図７、図８に示すように、前記第２吊りアーム２２と第１吊りアーム２１とは、その間に設けられた回転軸２３を介して相互に連結枢接され、第２吊りアーム２２は、第１吊りアーム２１に相対して前後の偏向回転角度を調整可能に構成される。第１吊りアーム２１と、第２吊りアーム２２とにより、俯角、仰角及び前後の偏向回転角度を調整することができ、及び支持組立体３０は、スタンド１０上から取外可能な機能を持ち、方向の調整及び折り畳み収納の目的が達成され、移動の利便性を高めることができ、使用がより一層便利になる。
【００３０】
なお、実施時、前記送風機４０は、ターボ送風機、遠心式送風機、軸流式送風機などのいずれかであってもよい。
図９に示すように、前記送風機４０は、さらにＵ字状ホルダー４１を介して第２吊りアーム２２上に固定され、前記送風機４０の両側が前記Ｕ字状ホルダー４１上に枢設され、Ｕ字状ホルダー４１に相対して偏向回転して角度を調整することができる。
【００３１】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００３２】
１００  衣類
２００  帽子
１０  スタンド
２０  支持アーム
２１  第１吊りアーム
２２  第２吊りアーム
２３  回転軸
３０  支持組立体
３１  スリーブ管
３２  握り柄
３３  引張り摘み片
４０  送風機
４１  Ｕ字状ホルダー
５０  ハンガー
６０  排流布カバー
７０  活性炭濾過材
８０  帽子掛け
９０  表示スタンド
【図１】
0003202725.tif 000003
【図２】
0003202725.tif 000004
【図３】
0003202725.tif 000005
【図４】
0003202725.tif 000006
【図５】
0003202725.tif 000007
【図６】
0003202725.tif 000008
【図７】
0003202725.tif 000009
【図８】
0003202725.tif 000010
【図９】
0003202725.tif 000011